(57)【特許請求の範囲】
【請求項１】
通信網に直接接続されている無線通信装置および該無線通信装置と通信を行っている無線通信装置であって、
前記通信網に直接接続されている無線通信装置は、
該通信網に直接接続されている無線通信装置と通信を行っている無線通信装置に対して、前記通信網から受信した通信網に関する情報を送信する送信手段を有し、
前記通信網に直接接続されている無線通信装置と通信を行っている無線通信装置は、
通信網に直接接続されている無線通信装置から通信網に関する情報を受信する受信手段と、
該受信手段で前記通信網に直接接続されている無線通信装置を介して通信網に関する情報を受信した場合において、複数の無線チャネルを利用して無線通信を行うことができる状況にあるときには、当該通信網に関する情報に基づき無線通信に利用している無線チャネル数を変更するか否かを判定する判定手段と、
該判定手段で無線チャネル数を変更すると判定した場合、変更すべき無線チャネルの切断または接続を行い、無線通信に利用している無線チャネル数を変更する無線チャネル数変更手段と
を有することを特徴とする無線通信装置。
【請求項２】
前記無線チャネル数変更手段は、通信を行っている無線リンクを切断し、利用する無線チャネル数を変更して再度無線リンクを接続することにより無線通信に利用している無線チャネル数を変更するリンク接離による無線チャネル数変更手段を有することを特徴とする請求項１記載の無線通信装置。
【請求項３】
前記リンク接離による無線チャネル数変更手段は、無線通信装置に接続されている機器および通信を行っている無線通信装置に接続されている通信網に対して、通信を行っている無線リンクを切断し、利用する無線チャネル数を変更して再度無線リンクを接続することにより無線通信に利用している無線チャネル数を変更することを伝達しない手段を有することを特徴とする請求項２記載の無線通信装置。
【発明の詳細な説明】
【０００１】
【発明の属する技術分野】
本発明は、無線を利用して通信を行う無線通信装置に関し、更に詳しくは、通信網に接続可能な無線通信装置および当該無線通信装置と通信可能な無線通信装置に関する。
【０００２】
【従来の技術】
図４は、無線通信装置１１ａが無線通信装置１１ｂを介して通信網３に接続されている一般的な構成を示すものである。また、図４において、無線通信装置１１ｃも無線通信装置１１ｂを介して通信網３に接続可能である。各無線通信装置１１ａ，１１ｂ，１１ｃは、それぞれアンテナ７ａ，７ｂ，７ｃを有し、このアンテナを用いて無線通信を行うようになっている。無線通信装置１１ａには外部機器５が接続されているが、無線通信装置１１ｃにも外部機器を接続することが可能である。
【０００３】
図５は、図４に示す無線通信装置の従来の構成を示すブロック図である。同図に示すように、無線通信装置１１ａは、制御回路４１、無線送受信機２７、無線インタフェース回路２５、無線データ処理回路２３、外部機器インタフェース回路２９、外部機器５に接続される外部機器接続端子３５、アンテナ７ａ、および全体の動作を制御する制御回路４１から構成されている。また、無線通信装置１１ｂは、通信網３に接続される通信網接続端子２１、通信網インタフェース回路２２、無線データ処理回路２３、無線インタフェース回路２５、無線送受信機２７、アンテナ７ｂ、および全体の動作を制御する制御回路４７から構成されている。
【０００４】
このように構成される無線通信装置において、通信網接続端子２１を介して通信網３に接続されている無線通信装置１１ｂにおいて、通信網３から通信網接続端子２１を介して入力されたデータは、無線通信装置１１ｂ内の通信網インタフェース回路２２において通信速度の整合等が行われた後、無線データ処理回路２３において無線通信に必要な誤り制御符号化等が行われ、無線インタフェース回路２５において無線送信に必要なタイミング処理等が行われた後、無線送受信機２７において変調され、送信周波数にアップコンバートされた後、アンテナ７ｂより送信される。制御回路４７は接続される各回路および無線送受信機に対する動作制御を行う。当該動作制御は通信網３に関する制御情報に基づいて行われる場合もある。通信網３に関する制御情報は通信網接続端子２１から通信網インタフェース回路２２へ入力された後、制御回路４７に伝送されるが、当該制御情報が直接無線伝送されることはない。通信網３に対して制御情報を出力する場合は、当該制御回路４７から通信網インタフェース回路２２を介して通信網接続端子２１へ出力される。
【０００５】
また、無線通信装置１１ａにおいて、アンテナ７ａで受信した信号は無線通信装置１１ａ内の無線送受信機２７において受信周波数からダウンコンバートされた後、復調され、無線インタフェース回路２５において無線受信に必要なタイミング処理等が行われた後、無線データ処理回路２３において、無線通信に必要な誤り制御復号化等が行われ、外部機器インタフェース回路２９において通信速度の整合等が行われた後、外部機器接続端子３５より出力される。制御回路４１は接続される各回路および無線送受信機に対する動作制御を行う。
【０００６】
上記構成において、通信網３に直接接続されている無線通信装置１１ｂは通信網３に関する制御情報を認識することができ、当該制御情報に基づき何らかの動作を行うことができるが、無線通信装置１１ａは通信網に関する制御情報が直接伝送されないため、通信網３に関する制御情報を直接認識することはできない。
【０００７】
図６に示すシーケンス図を参照して、通信網３に直接接続された無線通信装置１１ｂに通信網３から着呼情報が伝送された場合の動作について説明する。この説明では、無線通信装置１１ａ、無線通信装置１１ｂ、無線通信装置１１ｃは２つの無線チャネルを利用して通信することが可能であるとする。無線通信装置１１ａが２つの無線チャネルを利用して、通信網３と接続して通信を行っている場合に（２−１，２−２）、通信網３から無線通信装置１１ｃへの着呼制御情報が伝送された場合（２−３）、無線通信装置１１ｂは当該着呼制御情報を認識することができるが、無線通信装置１１ａおよび無線通信装置１１ｃは無線通信装置１１ｂから当該着呼制御情報が直接伝送されないため、当該着呼制御情報を直接認識することができない。無線通信装置１１ｂは無線通信装置１１ａに対し、無線通信に利用している２つの無線チャネルのうち、１つの無線チャネルの切断を指示し（２−４）、無線通信装置１１ａはこの指示に従い１つの無線チャネルを切断完了し（２−５）、残る１つの無線チャネルを利用して通信網３と接続して通信を行う（２−６，２−７）。
【０００８】
無線通信装置１１ｂは無線通信装置１１ｃに対して着呼制御情報を送信し（２−８）、無線通信装置１１ｃは当該制御情報に応答し、無線通信装置１１ｂとの間で無線リンクの確立を行い（２−９，２−１０）、１つの無線チャネルを利用して通信網と接続し、通信を行う（２−１１，２−１２）。
【０００９】
図６に示すシーケンス図のように、無線通信装置１１ｂは通信網３に関する制御情報に基づき、無線通信装置１１ａおよび無線通信装置１１ｂに対し、何らかの制御を行うことができるが、無線通信装置１１ａおよび無線通信装置１１ｃは通信網３と無線通信装置１１ｂ間で伝送される制御情報を直接認識できないため、当該制御情報に基づく制御を直接行うことはできない。
【００１０】
【発明が解決しようとする課題】
従来技術においては通信網に関する制御情報を直接認識できる無線通信装置は限られており、通信網に関する制御情報に基づいて動作を行うことができるのは通信網に直接接続されている無線通信装置だけであった。そのため、通信網に直接接続されていない無線通信装置は通信網に関する制御情報を直接認識できず、通信網に関する制御情報に基づいた動作を直接行うことができないという問題がある。
【００１１】
本発明は、上記に鑑みてなされたもので、その目的とするところは、従来通信網に関する情報を直接認識できない無線通信装置においても該制御情報を直接認識でき、該制御情報に基づき無線通信に利用している無線チャネル数の変更や通信を行っている無線リンクの切断、接続などの制御を行うことができる無線通信装置を提供することにある。
【００１４】
【課題を解決するための手段】
上記目的を達成するため、請求項１記載の本発明は、通信網に直接接続されている無線通信装置および該無線通信装置と通信を行っている無線通信装置であって、前記通信網に直接接続されている無線通信装置は、該通信網に直接接続されている無線通信装置と通信を行っている無線通信装置に対して、前記通信網から受信した通信網に関する情報を送信する送信手段を有し、前記通信網に直接接続されている無線通信装置と通信を行っている無線通信装置は、通信網に直接接続されている無線通信装置から通信網に関する情報を受信する受信手段と、該受信手段で前記通信網に直接接続されている無線通信装置を介して通信網に関する情報を受信した場合において、複数の無線チャネルを利用して無線通信を行うことができる状況にあるときには、当該通信網に関する情報に基づき無線通信に利用している無線チャネル数を変更するか否かを判定する判定手段と、該判定手段で無線チャネル数を変更すると判定した場合、変更すべき無線チャネルの切断または接続を行い、無線通信に利用している無線チャネル数を変更する無線チャネル数変更手段とを有することを要旨とする。
【００１５】
請求項１記載の本発明にあっては、まず通信網に直接接続されている無線通信装置が該無線通信装置と通信を行っている無線通信装置に対して、通信網から受信した通信網に関する情報を送信する。次に、通信網に直接接続されている無線通信装置と通信を行っている無線通信装置は、この送信された通信網に関する情報を受信し、複数の無線チャネルを利用して無線通信を行うことができる状況にあるときには、当該情報に基づき無線通信に利用している無線チャネル数を変更すると判定した場合には、変更すべき無線チャネルの切断または接続を行い、無線通信に利用している無線チャネル数を変更する。これにより、通信網に直接接続されていない無線通信装置でも、通信網に関する情報を直接利用することができ、当該情報に基づき無線通信に利用している無線チャネル数を変更することができる。
【００１６】
更に、請求項３記載の本発明は、請求項２記載の発明において、前記無線チャネル数変更手段が、通信を行っている無線リンクを切断し、利用する無線チャネル数を変更して再度無線リンクを接続することにより無線通信に利用している無線チャネル数を変更するリンク接離による無線チャネル数変更手段を有することを要旨とする。
【００１７】
請求項３記載の本発明にあっては、通信を行っている無線リンクを切断し、利用する無線チャネル数を変更して再度無線リンクを接続することにより無線通信に利用している無線チャネル数を変更することができる。
【００１８】
請求項４記載の本発明は、請求項３記載の発明において、リンク接離による無線チャネル数変更手段が、無線通信装置に接続されている機器および通信を行っている無線通信装置に接続されている通信網に対して、通信を行っている無線リンクを切断し、利用する無線チャネル数を変更して再度無線リンクを接続することにより無線通信に利用している無線チャネル数を変更することを伝達しない手段を有することを要旨とする。
【００１９】
請求項４記載の本発明にあっては、無線通信装置に接続されている機器および通信網に対して、無線リンクで利用している無線チャネル数の変更を認識させずに、無線チャネル数を変更することができる。
【００２０】
【発明の実施の形態】
以下、図面を用いて本発明の実施の形態を説明する。図１は、本発明の一実施形態に係る無線通信装置の構成を示すブロック図である。同図に示すように、無線通信装置１ａおよび１ｂは、それぞれ図４に示した無線通信装置１１ａおよび１１ｂに相当するものであり、無線通信装置１ｂは通信網接続端子２１を介して通信網３に直接接続され、また無線通信装置１ａは無線通信装置１ｂを介して通信網３に接続されるとともに、外部機器接続端子３５を介して外部機器５にも接続されているものであるが、両無線通信装置１ａ，１ｂは、その機能が図４，図５に示した無線通信装置１１ａ，１１ｂと異なるものであるため、別の符号１ａ，１ｂを付されている。なお、図１では図示しないが、図４に示した無線通信装置１１ｃに対応する無線通信装置１ｃも同様に存在し、この無線通信装置１ｃも無線通信装置１ａを介して通信網３に接続されるようになっているものである。
【００２１】
無線通信装置１ｂは、従来の無線通信装置１１ｂに対して通信網制御情報無線伝送制御回路３９を新たに有するとともに、該通信網制御情報無線伝送制御回路３９の制御を新たに含む制御回路３７が無線通信装置１１ｂと異なるものであり、その他の構成および作用は同じである。すなわち、無線通信装置１ｂが有している制御回路３７、通信網制御情報無線伝送制御回路３９以外の通信網インタフェース回路２２、無線データ処理回路２３、無線インタフェース回路２５、無線送受信機２７は、図５に示した無線通信装置１１ｂのものと同じ構成および作用である。なお、制御回路３７は接続される各回路および無線送受信機２７に対する動作制御を行うが、この動作制御は通信網に関する情報としての通信網に関する制御情報に基づいて行われる場合もある。
【００２２】
具体的には、無線通信装置１ｂにおいて、通信網接続端子２１を介して通信網３から入力されたデータは、通信網インタフェース回路２２において通信速度の整合等が行われた後、無線データ処理回路２３において無線通信に必要な誤り制御符号化等が行われ、無線インタフェース回路２５において無線送信に必要なタイミング処理等が行われ、それから無線送受信機２７において変調され、送信周波数にアップコンバートされ、アンテナ７ｂから送信される。
【００２３】
また、無線通信装置１ｂの新たに設けられた通信網制御情報無線伝送制御回路３９においては、通信網接続端子２１から受信した通信網に関する制御情報が通信網インタフェース回路２２を介して制御回路３７に伝送され、制御回路３７から通信網制御情報無線伝送制御回路３９に供給される。通信網制御情報無線伝送制御回路３９は、この通信網に関する制御情報を無線伝送するか否かの判定を行い、無線伝送する場合には、当該制御情報を無線伝送する指示を制御回路３７に送る。制御回路３７は、各回路および無線送受信機２７に対して当該制御情報を無線伝送する動作制御を行う。各回路および無線送受信機２７は、この動作制御指示に従い、当該制御情報を無線伝送する。この無線伝送の方法は利用している無線通信方式に適した方式で行われる。
【００２４】
一方、無線通信装置１ａは、従来の無線通信装置１１ａに対して通信網制御情報認識回路３３を新たに有するとともに、該通信網制御情報認識回路３３の制御を新たに含む制御回路３１が無線通信装置１１ａと異なるものであり、その他の構成および作用は同じである。すなわち、無線通信装置１ａが有している制御回路３１、通信網制御情報認識回路３３以外の無線送受信機２７、無線インタフェース回路２５、無線データ処理回路２３、外部機器インタフェース回路２９は、図５に示した無線通信装置１１ａのものと同じ構成および作用である。制御回路３１は接続される各回路および無線送受信機２７に対して動作制御を行う。
【００２５】
具体的には、無線通信装置１ａにおいて、アンテナ７ａで受信した無線通信装置１ｂからの信号は、無線送受信機２７において受信周波数からダウンコンバートされた後、復調され、無線インタフェース回路２５において無線受信に必要なタイミング処理等が行われ、無線データ処理回路２３において無線通信に必要な誤り制御復号化等が行われ、外部機器インタフェース回路２９において通信速度の整合等が行われ、それから外部機器接続端子３５から外部機器５に出力される。
【００２６】
また、無線通信装置１ａの新たに設けられた通信網制御情報認識回路３３は、無線データ処理回路２３で処理されたデータのうち、通信網に関する制御情報を制御回路３１を介して供給される。通信網制御情報認識回路３３は、この制御回路３１から供給される通信網に関する制御情報を認識し、この認識結果から無線通信装置１ａが何らかの動作を行うか否かを判定し、動作を行う場合には、制御回路３１に対して動作指示を送る。制御回路３１は、通信網制御情報認識回路３３からの動作指示に基づき、無線インタフェース回路２５、無線データ処理回路２３、外部機器インタフェース回路２９などの各回路および無線送受信機２７に対して動作制御を行う。
【００２７】
次に、図２に示すシーケンス図を参照して、図１に示す無線通信装置の動作、特に通信網３から着呼制御情報が伝送された場合に、通信網３に直接接続されていない無線通信装置１ａが無線チャネル数を減らす制御動作について説明する。なお、無線通信装置１ａ、無線通信装置１ｂ、無線通信装置１ｃは２つの無線チャネルを利用して通信することが可能であるとする。
【００２８】
同図において無線通信装置１ａが２つの無線チャネルを利用して、通信網３と接続して通信を行っている場合に（２−１，２−２）、通信網３から無線通信装置１ｃへの着呼制御情報が伝送され場合（２−３）、無線通信装置１ｂでは当該着呼制御情報を認識することができるが、無線通信装置１ａおよび無線通信装置１ｃでは当該着呼情報を直接認識することができない。
【００２９】
そこで、通信網３に接続されている無線通信装置１ｂは通信を行っている無線通信装置１ａに対し、無線通信装置１ｃへの着呼制御情報を伝送する（３−１）。無線通信装置１ａは当該制御情報に基づき、通信に利用している２つの無線チャネル数を減らすか否かの判定を行い、無線チャネル数を減らすと判定した場合には無線通信装置１ｂに対して１つの無線チャネルを切断し、利用する無線チャネル数を減らす情報を送信し（３−２）、残る１つの無線チャネルを利用して通信網３と通信を行う（２−６，２−７）。
【００３０】
本発明を用いることにより通信網３に直接接続されていない無線通信装置１ａが通信網の制御情報に基づく判断を行い、無線通信装置１ｂとの無線通信に利用する通信チャネル数を変更することが可能となる。
【００３１】
無線通信装置１ｂは無線通信装置１ｃに対して着呼制御情報を送信し（２−８）、無線通信装置１ｃは当該着呼制御情報に応答し、無線通信装置１ｂとの間で無線リンクの確立作業を行い（２−９，２−１０）、通信可能な１つの無線チャネルを利用して通信網３との通信を行う（２−１１，２−１２）。
【００３２】
次に、図３に示すシーケンス図を参照して、無線通信装置が通信に利用している無線チャネル数を動的に変更できない場合に、通信中の無線リンクを一度切断し、無線チャネル数を変更して再度無線リンクを接続する動作について説明する。なお、無線通信装置１ａ、無線通信装置１ｂ、無線通信装置１ｃは２つの無線チャネルを利用して通信することが可能であるとする。
【００３３】
同図において、無線通信装置１ａが２つの無線チャネルを利用して、通信網３と接続して通信を行っている場合に（２−１，２−２）、通信網３から無線通信装置１ｃへの着呼制御情報が伝送された場合（２−３）、無線通信装置１ｂでは当該着呼制御情報を直接認識することができるが、無線通信装置１ａおよび無線通信装置１ｃでは当該着呼制御情報を直接認識することができない。
【００３４】
そこで、通信網３に接続されている無線通信装置１ｂは通信を行っている無線通信装置１ａに対し、無線通信装置１ｃへの着呼制御情報を伝送する（３−１）。無線通信装置１ａは当該制御情報に基づき、通信に利用している２つの無線チャネル数を減らすか否かの判定を行い、無線チャネル数を減らすと判定した場合には無線通信装置１ｂに対して通信中の無線リンクを切断する情報を送信し（４−１）、無線通信装置１ｂは当該情報を認識し、無線通信装置１ａとの無線リンクの切断を行う（４−２）。無線通信装置１ａは無線通信装置１ｂに対して利用する無線チャネル数を減らして無線リンクの確立要求を送信し（４−３）、無線通信装置１ｂでは当該確立要求を認識し、無線通信装置１ａとの間で１つのチャネルを用いた無線リンクの確立を行い（４−４）、無線通信装置１ａは１つの無線チャネルを利用して通信網３と通信を行う（２−６，２−７）。
【００３５】
本発明を用いることにより通信網３に直接接続されていない無線通信装置１ａが通信網３の制御情報に基づく判断を行い、無線通信装置１ｂとの通信に利用する通信チャネル数を変更することが可能となる。
【００３６】
通信網３に直接接続されていない無線通信装置１ａに図４で示したような外部機器５が接続されている場合、当該外部機器５に対し無線リンクの切断および接続により利用する無線チャネル数を変更することを無線通信装置が通知しないことにより、当該外部機器５は無線リンクが切断および接続したことを認識せずに動作することが可能である。同様に通信網３に直接接続されている無線通信装置１ｂが通信網３に対し、当該制御動作を行うことを通知しないことにより、通信網３は無線リンクが切断および接続したことを認識せずに通信を行うことが可能である。
【００３７】
無線通信装置１ｂは無線通信装置１ｃに対して着呼制御情報を送信し（２−８）、無線通信装置１ｃは当該着呼制御情報に応答し、無線通信装置１ｂとの間で無線リンクの確立作業を行い（２−９，２−１０）、通信可能な１つの無線チャネルを利用して通信網３との通信を行う（２−１１，２−１２）。
【００３８】
上述したように、本実施形態では、通信網３に直接接続されている無線通信装置１ｂが認識できる通信網に関する制御情報を他の無線通信装置１ａに伝送することにより、当該無線通信装置１ａにおいて通信網に関する制御情報を認識でき、当該制御情報に基づいた動作を行うことができる。
【００３９】
また、通信網３に直接接続されていない無線通信装置１ａにおいて通信網に関する制御情報を認識し、当該制御情報に基づき、通信を行っている無線チャネル数を変更するという制御動作を行うことができる。通信網３に直接接続されていない無線通信装置１ａが通信網３と接続して通信を行っている際に、通信網の通信容量に余裕がある場合に、当該無線通信装置１ａが無線チャネル数を増やす制御動作を行い、当該無線通信装置１ａと通信網３との間の通信容量を増加させることが可能である。逆に当該通信容量に余裕がなく、当該通信容量を減らす必要がある場合には、当該無線通信装置１ａが無線通信に利用している無線チャネル数を減らす制御動作を行い、当該無線通信装置１ａと通信網３との間の通信容量を減少させることが可能である。
【００４０】
また、従来通信網３に直接接続されている無線通信装置１ｂでしか行うことができなかった通信網に関する制御情報に基づく動作を通信網に直接接続されていない無線通信装置１ａにおいて行うことが可能である。
【００４１】
また、当該制御動作において無線通信に利用している無線チャネル数を動的に変更できない場合に、通信網に直接接続されていない無線通信装置１ａが通信を行っている無線リンクを一度切断し、利用する無線チャネル数を変更して再度無線リンクを接続することにより、利用する無線チャネル数を変更するという制御動作を行うことが可能である。当該無線通信装置１ａに外部機器５が接続されている場合には、当該外部機器５に対し当該制御動作を行うことを通知しないことにより、当該外部機器５は無線リンクが切断および接続したことを認識せずに動作することが可能である。同様に通信網３に直接接続されている無線通信装置１ｂが通信網３に対し、当該制御動作を行うことを通知しないことにより、通信網３は無線リンクが切断および接続したことを認識せずに通信を行うことが可能である。
【００４３】
【発明の効果】
以上説明したように、本発明によれば、通信網に接続されている無線通信装置が該無線通信装置と通信を行っている無線通信装置に対して、通信網から受信した通信網に関する情報を送信すると、通信網に接続されている無線通信装置と通信を行っている無線通信装置は、通信網に関する情報を受信し、複数の無線チャネルを利用して無線通信を行うことができる状況にあるときには、当該情報に基づき無線通信に利用している無線チャネル数を変更することができるので、通信網に直接接続されていない無線通信装置でも、通信網に関する情報を直接利用することができ、当該情報に基づき無線通信に利用している無線チャネル数を変更することができる。
【００４４】
更に、本発明によれば、通信を行っている無線リンクを切断し、利用する無線チャネル数を変更して再度無線リンクを接続することにより無線通信に利用している無線チャネル数を変更することができる。
【００４５】
本発明によれば、無線通信装置に接続されている機器および通信網に対して、無線リンクで利用している無線チャネル数の変更を認識させずに、無線チャネル数を変更することができる。
【図面の簡単な説明】
【図１】本発明の一実施形態に係る無線通信装置の構成を示すブロック図である。
【図２】図１に示す無線通信装置の作用、特に通信網から着呼制御情報が伝送された場合に、通信網に直接接続されていない無線通信装置が無線チャネル数を減らす制御動作を示すシーケンス図である。
【図３】図１に示す無線通信装置の作用、特に無線通信装置が通信に利用している無線チャネル数を動的に変更できない場合に通信中の無線リンクを一度切断し、無線チャネル数を変更して再度無線リンクを接続する動作を示すシーケンス図である。
【図４】通信網に接続されていない無線通信装置が無線通信装置を介して通信網に接続されている一般的な構成を示す図である。
【図５】図４に示す無線通信装置の従来の構成を示すブロック図である。
【図６】図５に示す従来の無線通信装置の作用を示すシーケンス図である。
【符号の説明】
１ａ，１ｂ  無線通信装置
３  通信網
５  外部機器
２２  通信網インタフェース回路
２３  無線データ処理回路
２５  無線インタフェース回路
２７  無線送受信機
２９  外部機器インタフェース回路
３１，３７  制御回路
３３  通信網制御情報認識回路
３９  通信網制御情報無線伝送制御回路
【図１】
0003853569.tif 000002
【図２】
0003853569.tif 000003
【図３】
0003853569.tif 000004
【図４】
0003853569.tif 000005
【図５】
0003853569.tif 000006
【図６】
0003853569.tif 000007